(57)【要約】【課題】連動引分け式吊戸装置において、設置スペースを小さくして幕板で目隠しする必要がないほど引戸周りの美観をシンプルにし、しかも、戸枠開口部の上枠に面倒なく簡単に引戸を吊り込むことを可能にする。【解決手段】引戸支持側の吊り金具ユニットＤと引戸側の吊りボルト１５とに分けて構成する。吊り金具ユニットは、薄型なスライドレール体ｒ１・ｒ２と、左右一対の滑車３０と、滑車の直径と高さに対応させた大きさの高上げスペーサ４０および吊りボルトが掛け止められる切欠き穴４１を有し、高上げスペーサを左右のインナーレール２５に固着した第１および第２の取付金具２０・２１と、高上げスペーサを平行な直線ワイヤー部で挟んで滑車間に掛け回し、一側の直線ワイヤー部を第１取付金具の高上げスペーサに連結する一方、他側の直線ワイヤー部を第２の取付金具の高上げスペーサに連結して巻装した連動ワイヤー１９を備える。【選択図】          図１
2005307506.tif 000002
【特許請求の範囲】
【請求項１】
左右一対の引戸で開閉する戸枠開口部の上枠に下向きに取り付ける引戸支持側の吊り金具ユニットと、両引戸の上端面にそれぞれ突設する引戸側の吊りボルトとを備え、該吊りボルトを前記吊り金具ユニットに連結して両引戸を開閉方向へスライド自在に吊持すると共に、一側の引戸が一方向にスライドすると、それに連動して他側の引戸を反対の他方向にスライドさせて前記戸枠開口部を開閉する連動引分け式吊戸装置であって、
前記吊り金具ユニットは、
前記上枠の長手方向に沿って固定するアウターレールに対し、左右一対のインナーレールを上下に重ねて、リテーナで保持した多数のボールを介してスライド自在に係合させてなるスライドレール体と、
スライドレール体の前記アウターレールを間に挟んだ長さ方向両側で前記上枠にそれぞれ回転自在に軸支した左右一対の滑車と、
それら滑車の直径と高さに対応させた大きさの高上げスペーサと、前記吊りボルトが掛け止められる切欠き穴を有し、前記高上げスペーサを前記左右のインナーレールにそれぞれ固着した第１および第２の取付金具と、
第１および第２取付金具の前記高上げスペーサを平行な直線ワイヤー部で挟んで前記滑車間に掛け回し、一側の直線ワイヤー部を前記第１取付金具の高上げスペーサに連結する一方、他側の直線ワイヤー部を前記第２の取付金具の高上げスペーサに連結して往復回動可能に巻装した連動ワイヤーとを備え、
引戸吊り込み時、前記第１および第２取付金具の前記切欠き穴に前記吊りボルトの頭部を引っ掛けて、前記引戸を前記吊り金具ユニットで掛け外し可能に吊持してなることを特徴とする、連動引分け式吊戸装置。
【請求項２】
前記連動ワイヤーを、その途上に一対のストッパ端子を僅かに間隔をあけて固着した１本の有端状ワイヤー材により形成すると共に、そのワイヤー両端部を重ねて挿通させ、それらを圧着状態で締結して前記連動ワイヤーをループ状に繋ぐワイヤー締結管を備える一方、
前記第１および第２取付金具のいずれか一方の高上げスペーサには、前記滑車間に前記連動ワイヤーを巻装するとき、前記ストッパ端子間のワイヤー部分を係合させて両ストッパ端子間で挟んで掛け止める切欠き凹部を備える一方、他方の高上げスペーサには、同様に前記連動ワイヤーを巻装するとき、前記ワイヤー締結管を間に挟んだ状態で両側のワイヤー部分をそれぞれ係合させて掛け止める一対の切欠き凹部を備えてなることを特徴とする、請求項１に記載の連動引分け式吊戸装置。
【発明の詳細な説明】
【技術分野】
【０００１】
本発明は、一側の引戸が一方向にスライドすると、それに連動して他側の引戸を反対の他方向にスライドさせて戸枠開口部を開閉する連動引分け式吊戸装置に関する。
【背景技術】
【０００２】
従来、この種の連動引分け式吊戸装置は、たとえば図１６に示すように、左右一対の引戸ａ・ｂの上端面における戸先側と戸尻側に、それぞれ戸車１を縦向きに搭載した吊車体２ａ・２ｂ、３ａ・３ｂを組み付けている。そのうち戸先側の吊車体２ａ・３ａには、ワイヤー取付アングル４ａ・４ｂを取り付けている。一方、戸枠開口部ｓの上枠ｃには、互いの長さ方向一端を突き合わせて配設した２本のレール５ａ・５ａからなるガイドレール５を引戸開閉方向に沿って固定している。
【０００３】
そこで、引戸ａ・ｂを上枠ｃに吊り込むときは、レール５ａ・５ａ上に戸車１を係合させて両引戸ａ・ｂをガイドレール５にスライド自在に懸架する一方、ガイドレール５の左右両端上方に、滑車６ａ・６ｂをテンション調整金具７で横向きに軸支して上枠ｃに取り付ける。左右の滑車６ａ・６ｂには、それぞれ有端状の連動ワイヤー８ａ・８ｂを掛け回し、各連動ワイヤー８ａ・８ｂにおける直線ワイヤー部の一端を、引戸ａ上のワイヤー取付アングル４ａに、他端を、引戸ｂ上のワイヤー取付アングル４ｂにそれぞれ掛け止めて全体にループ状に繋いでいる。こうしてループ状に巻装した連動ワイヤー８ａ・８ｂにおいて、図中奥側の直線ワイヤー部を左側の引戸ａに連結する一方、手前側の直線ワイヤー部を右側の引戸ｂに連結している。そして、仮に引戸ａを一方向にスライドさせると、ワイヤー８ａ・８ｂの回動に従って、同時に他側の引戸ｂが連動して反対の他方向へスライドして戸枠開口部ｓを開閉する構造になっている。
【特許文献１】特開２００２−２０１８４９号公報
【発明の開示】
【発明が解決しようとする課題】
【０００４】
ところが、従来の連動引分け式吊戸装置は、戸車１やワイヤー取付アングル４ａ・４ｂを付設した縦長で比較的大きな吊車体２ａ・２ｂ、３ａ・３ｂを、引戸ａ・ｂ上に搭載した戸車方式であり、しかも、戸車１に対し、両引戸ａ・ｂを連動させるワイヤー８ａ・８ｂが絡まないように、これら連動ワイヤーの取付箇所を吊車体から上方へ離隔させた高さ位置に配置した構造であるため、それだけ戸枠開口部ｓの上側に装置の設置スペースを上下方向に余計に確保する必要があり、全体に装置が大型化する一方で、そこを正面側から幅広な幕板で目隠しする必要があるほど、美的外観上、引戸周りの見栄えが悪いという課題があった。
【０００５】
しかも、従来の連動引分け式吊戸装置の取付構造では、両引戸ａ・ｂを上枠ｃに吊り込むときに、直線ワイヤー部が交差しないように注意しながら、連動ワイヤー８ａ・８ｂを、ワイヤー取付アングル４ａ・４ｂに取り付け、さらに、これら取付アングルの左右を間違えないように、対応する吊車体２ａ・３ａに組み付ける必要があるなど、面倒で複雑な取付工程を数多く経なければならず、取付作業に手間がかかるという課題もあった。
【０００６】
そこで、本発明の目的は、装置の設置スペースを小さくして幕板で目隠しする必要がないほど引戸周りの美観をシンプルにし、しかも、戸枠開口部の上枠に面倒なく簡単に引戸を吊り込むことを可能にする連動引分け式吊戸装置を提供することにある。
【課題を解決するための手段】
【０００７】
上記した発明の目的を達成すべく、請求項１に記載の発明は、左右一対の引戸で開閉する戸枠開口部の上枠に下向きに取り付ける引戸支持側の吊り金具ユニットと、両引戸の上端面にそれぞれ突設する引戸側の吊りボルトとを備え、該吊りボルトを前記吊り金具ユニットに連結して両引戸を開閉方向へスライド自在に吊持すると共に、一側の引戸が一方向にスライドすると、それに連動して他側の引戸を反対の他方向にスライドさせて前記戸枠開口部を開閉する連動引分け式吊戸装置であって、前記吊り金具ユニットは、前記上枠の長手方向に沿って固定するアウターレールに対し、左右一対のインナーレールを上下に重ねて、リテーナで保持した多数のボールを介してスライド自在に係合させてなるスライドレール体と、スライドレール体の前記アウターレールを間に挟んだ長さ方向両側で前記上枠にそれぞれ回転自在に軸支した左右一対の滑車と、それら滑車の直径と高さに対応させた大きさの高上げスペーサと、前記吊りボルトが掛け止められる切欠き穴を有し、前記高上げスペーサを前記左右のインナーレールにそれぞれ固着した第１および第２の取付金具と、第１および第２取付金具の前記高上げスペーサを平行な直線ワイヤー部で挟んで前記滑車間に掛け回し、一側の直線ワイヤー部を前記第１取付金具の高上げスペーサに連結する一方、他側の直線ワイヤー部を前記第２の取付金具の高上げスペーサに連結して往復回動可能に巻装した連動ワイヤーとを備え、引戸吊り込み時、前記第１および第２取付金具の前記切欠き穴に前記吊りボルトの頭部を引っ掛けて、前記引戸を前記吊り金具ユニットで掛け外し可能に吊持してなることを特徴とする。
【０００８】
請求項２に記載の発明は、請求項１に記載の発明において、前記連動ワイヤーを、その途上に一対のストッパ端子を僅かに間隔をあけて固着した１本の有端状ワイヤー材により形成すると共に、そのワイヤー両端部を重ねて挿通させ、それらを圧着状態で締結して前記連動ワイヤーをループ状に繋ぐワイヤー締結管を備える一方、前記第１および第２取付金具のいずれか一方の高上げスペーサには、前記滑車間に前記連動ワイヤーを巻装するとき、前記ストッパ端子間のワイヤー部分を係合させて両ストッパ端子間で挟んで掛け止める切欠き凹部を備える一方、他方の高上げスペーサには、同様に前記連動ワイヤーを巻装するとき、前記ワイヤー締結管を間に挟んだ状態で両側のワイヤー部分をそれぞれ係合させて掛け止める一対の切欠き凹部を備えてなることを特徴とする。
【発明の効果】
【０００９】
請求項１に記載の発明によれば、（１）薄型なスライドレール体を用い、その左右のインナーレールに第１および第２取付金具を固着し、それら取付金具が有する高上げスペーサで同じ左右の滑車間に、連動ワイヤーの掛け渡し用と引戸取付用の共通の空間を確保する構成であるため、戸枠開口部の上側において、従来の如く上下方向に余計に幅広な設置スペースを確保しなくても、引戸の連動機構を備えた引分け式吊戸装置の設置を実現させることができる。従って、全体に装置がコンパクトになり、設置にあたって省スペースで済むため、正面側から幕板で目隠しする必要もなく、引戸周りをスッキリさせて美観性を高め、見栄えを良好にすることができる。（２）しかも、引戸の吊り込み時は、従来の如く、複雑な取付工程を経ることなく、引戸支持側の第１および第２取付金具の切欠き穴に、引戸側の吊りボルトの頭部を引っ掛けるだけでよく、戸枠開口部の上枠に面倒なく簡単に引分け式引戸を組み付けることができる。
【００１０】
請求項２に記載の発明によれば、連動ワイヤーを滑車に掛け回す一方、ストッパ端子間のワイヤー部分を、第１および第２取付金具の一方の高上げスペーサにおける切欠き凹部に係合させてストッパ端子間で挟んで掛け止めると共に、他方の高上げスペーサの切欠き凹部に、間にワイヤー締結管を挟んだ状態で両側のワイヤー部分をそれぞれ係合させて掛け止めることにより、連動ワイヤーを滑車間の平行な直線ワイヤー部で高上げスペーサを挟んで、互いに絡み合うことなく、簡単に且つ確実に滑車間に巻装することができる。
【発明を実施するための最良の形態】
【００１１】
以下、図面を参照しつつ、本発明の実施の形態について説明する。
【００１２】
図１は、本発明の一例である連動引分け式吊戸装置を引戸吊り込み状態で示す外観斜視図、図２は連動引分け式吊戸装置の分解斜視図、図３は組立斜視図、図４は一端側から見て示す拡大端面図である。図示例の連動引分け式吊戸装置は、左右一対の木製引戸Ａ・Ｂに取り付ける引戸側の掛止め金具ユニットＣと、引戸Ａ・Ｂで開閉する戸枠開口部Ｓの木製上枠１０に取り付ける引戸支持側の吊り金具ユニットＤとに、構成部品を大別して構成してなる。
【００１３】
掛止め金具ユニットＣは、図示例では、両引戸Ａ・Ｂ上にそれぞれ取り付ける一組の掛止め金具１１・１１、１２・１２からなり、これら掛止め金具は、それぞれ細長な取付プレート１３と、埋込みナット１４と、吊りボルト１５とを備える（図５参照）。取付プレート１３は、引戸Ａ・Ｂの上端面において、それぞれ木口面寄りの戸先側と戸尻側にねじ止めする。吊りボルト１５は、ねじ軸部１５ａを取付プレート１３のボルト挿通穴１３ａに通して、その下に予め埋設したナット１４に螺合してボルト頭部１５ｂを取付プレート１３から突設させている。
【００１４】
一方、吊り金具ユニットＤは、図１〜図３に示すように、それぞれ左右一対備えた、スライドレール体ｒ１・ｒ２と、滑車組立体１８・１８と、連動ワイヤー１９・１９と、第１取付金具２０・２０および第２取付金具２１・２１とからなる。
【００１５】
スライドレール体ｒ１・ｒ２は、それぞれアウターレール２４と、インナーレール２５と、リテーナ２６と、多数のボール２７を用いて全体に薄板なスライドレール構造に組み立ててなる（図４参照）。
【００１６】
アウターレール２４は、帯状の金属プレートをプレスで成形し、平らな取付板部２４ａの両側縁を互いに向き合う内向きに湾曲させて、そこにボールガイド部２４ｂを形成してなる。インナーレール２５は、アウターレール２４の長さに、それぞれ所定の引戸開閉ストロークの距離を差し引いた長さの帯状金属プレートを用いてプレスで成形し、中央で断面略コ形状に屈曲させた取付部２５ａの両側縁を互いに離れる外向きに湾曲させて、そこにボールガイド部２５ｂを形成してなる。リテーナ２６は、長尺な金属プレートを用いて曲げ成形し、平行なリテーナ本体部２８・２８に、コ状に屈曲させた多数の支持片部２８ａ…を連設し、各支持片部２８ａにそれぞれ保持穴を形成し、それら保持穴にそれぞれ金属製の小径ボール２７を嵌着して転動自在に保持してなる。
【００１７】
そして、リテーナ２６をアウターレール２４に対し、保持したボール２７を左右のボールガイド部２４ｂに係合して嵌入し、次いで、インナーレール２５を、左右のボールガイド部２５ｂをボール１７に係合させてリテーナ２６内に嵌入し、該リテーナ２６を介してアウターレール２４に相対的に摺動可能に嵌合させて、それぞれスライドレール体ｒ１・ｒ２を組み立ててなる。従って、スライドレール体ｒ１・ｒ２は、それぞれインナーレール２５を摺動させると、ボール２７…が両レール２４・２５間で転動し、それらボール２７に押されてリテーナ２６がアウターレール２４に対して所定開閉ストロークの略１／２分だけ移動すると同時に、一方で、インナーレール２５がアウターレール２４に対し所定開閉ストロークだけ相対移動するように設定されている。
【００１８】
滑車組立体１８・１８は、図１〜図３に示すように、それぞれ滑車３０と、滑車３０の取付板３１と、テンション調整金具３２を備える。滑車３０は、車軸３０ａを取付板３１の長穴に挿通し、その取付板３１で回転可能に且つ左右の引戸開閉方向へ移動可能に横向きに寝かせて軸支している。テンション調整金具３２は、それに備えた調整ナット３３の調整ボルト３４に対する捩じ込み量を調節することにより、滑車３０・３０を可動板３５を介して移動させて、滑車３０・３０間に掛け回す連動ワイヤー１９・１９の張り具合いを調整する構造になっている（図５・図６参照）。これら連動ワイヤー１９・１９は、それぞれ有端状の金属製ワイヤーからなる。
【００１９】
第１の取付金具２０・２０は、図１〜図３に示すように、掛止め金具ユニットＣの掛止め金具１１・１１と対応させて一対備え、第２の取付金具２１・２１は、掛止め金具１２・１２と対応させて一対備えている。これら左右の取付金具２０・２０、２１・２１は、それぞれ高上げスペーサ４０と、ボルト取付ケース４１とからなる。高上げスペーサ４０は、滑車３０の高さと直径に対応させて、高さと幅を規定した細長な直方形状のアルミニウム製ブロックからなる。ボルト取付ケース４１は、金属板を用いて全体に略薄箱状に曲げ成形し、長手方向両端にＬ板状に曲げたねじ止め鍔部４１ａを設けると共に、片側側面を開放してボルト取付口を設け、そのボルト取付口にボルト抜け止め蓋４２を取り外し可能にネジで止めて被せている。一方、底板部４１ｂには、ボルト抜け止め蓋４２寄りの側縁に、吊りボルト１５を掛け止めるＵ状の切欠き穴４５が設けられている。そして、第１の取付金具２０・２０は、ボルト取付ケース４１を高上げスペーサ４０を間に挟んで止めネジ４４・４４によりスライドレール体ｒ１のインナーレール２５にそれぞれ固着している。同様に、第２の取付金具２１・２１は、ボルト取付ケース４１を高上げスペーサ４０を間に挟んで止めネジ４６・４６によりスライドレール体ｒ２のインナーレール２５にそれぞれ固着している（図５・図６参照）。
【００２０】
そこで、引戸Ａ・Ｂを戸枠開口部Ｓの上枠１０に吊り込む場合、上述した部品構成の吊り金具ユニットＤは、スライドレール体ｒ１・ｒ２のアウターレール２４を、付設した第１および第２取付金具２０・２０、２１・２１を下向きにした状態で、上枠１０に設けられた長溝１０ａ内の上面にねじ止めする（図４参照）。それから、図１〜図３に示すように、アウターレール２４・２４を間に挟んだ長さ方向両側で、同じ上枠１０の長溝１０ａ内の上面に、互いの滑車３０・３０を対向させて滑車組立体１８・１８のテンション調整金具３２・３２を取り付ける。しかる後、連動ワイヤー１９・１９を左右の滑車３０・３０間に掛け渡す。そのとき、連動ワイヤー１９・１９は、互いの両端部１９ａ・１９ｂを小径プーリ状のワイヤーリング５０・５１に連結して全体にループ状に繋いでから、滑車３０・３０に掛け回すと共に、第１のワイヤーリング５０を、第１取付金具２０の高上げスペーサ４０の図中手間側の側面４０ａにねじ止めする一方、第２のワイヤーリング５１を、第２取付金具２１の高上げスペーサ４０の図中奥側の側面にねじ止めする。このとき、連動ワイヤー１９・１９は、滑車３０・３０間の平行な直線ワイヤー部で第１および第２取付金具２０・２１の高上げスペーサ４０を挟んで、互いに絡み合うことなく滑車３０・３０間で往復回動可能に巻装される。
【００２１】
図示連動引分け式吊戸装置では、こうして吊り金具ユニットＤを上枠１０に組み付けて後、第１および第２取付金具２０・２０、２１・２１のボルト抜け止め蓋４２を取り外してから、両引戸Ａ・Ｂを吊り込む。その場合、掛止め金具ユニットＣにおける各吊りボルト１５の頭部１５ｂを、第１および第２取付金具２０・２０、２１・２１の切欠き穴４５に引っ掛けて引戸Ａ・Ｂを懸架する。しかる後、ボルト抜け止め蓋４２を第１および第２取付金具２０・２０、２１・２１の前記ボルト取付口に取り付け、切欠き穴４５を塞いで吊りボルト１５を抜け止めするだけでよい。
【００２２】
そして、図示連動引分け式吊戸装置は、図１および図７に示すように、手掛け５５に手を掛けて、仮に引戸Ａを一方向に押すと、第１取付金具２０・２０を介してスライドレール体ｒ１のインナーレール２５がアウターレール２４に対し摺動し、それに応じて連動ワイヤー１９・１９が回動する。すると、引戸Ａは、連動ワイヤー１９・１９における図中手前側の直線ワイヤー部が移動する一方向にスライドすると同時に、引戸Ｂが連動して図中奥側の直線ワイヤー部の移動方向に従って引戸Ａとは反対の他方向へスライドして戸枠開口部Ｓを開閉する。
【００２３】
なお、図示連動引分け式吊戸装置において、上記図示例では、第１および第２取付金具を、高上げスペーサ４０とボルト取付ケース４１の別体で形成したが、これを一体に形成したもので構成することもできる。
【００２４】
さて、以上の図示連動引分け式吊戸装置において、連動ワイヤーは、２本の有端状ワイヤー１９・１９を用い、互いの両端部１９ａ・１９ｂをワイヤーリング５０・５１に連結してループ状に繋いで形成し、滑車３０・３０間に巻装するときは、第１のワイヤーリング５０を、第１取付金具２０の高上げスペーサ４０に取り付ける一方、第２のワイヤーリング５１を第２取付金具２１の高上げスペーサ４０に取り付ける構造であった。しかし、本発明の連動引分け式吊戸装置は、以上のワイヤー取付構造に代えて、以下の図示例に示すようなワイヤー取付構造を備え、それに基づいて連動ワイヤーを第１および第２取付金具の高上げスペーサに取り付けて滑車３０・３０間に巻装する構成にすることもできる。なお、以下の図示例では、上記第１の図示実施の形態における連動引分け式吊戸装置と同じ構成部分は同一符合を付し、その同一構成部分はその説明を省略する。
【００２５】
図８は、他のワイヤー取付構造を備えた連動引分け式吊戸装置を引戸吊り込み状態で示す外観斜視図、図９は、その他例の連動引分け式吊戸装置の分解斜視図、図１０は連動引分け式吊戸装置の第１取付金具側を拡大して示す斜視図、図１１および図１２は第２取付金具側を拡大して示す斜視図である。図示他例の連動引分け式吊戸装置において、吊り金具ユニットＤに備えた連動ワイヤー１９は、１本の金属製有端状ワイヤーを使用し、ワイヤー途中に一対のストッパ端子５５・５５を固着した構成になっている。図示例のストッパ端子５５・５５は、ワイヤー穴を貫通して設けた小粒な金属球を用いてなる。そして、ストッパ端子５５・５５を、各々のワイヤー穴に連動ワイヤー１９を挿通させてから、間に僅かに間隔をあけた状態で、各々かしめて連動ワイヤー１９の途中に固着している。なお、図示例では、ストッパ端子５５・５５として金属球を用いたが、硬質な樹脂製などでもよく、また、形状も球体に限られるものではない。そして、斯かる連動ワイヤー１９は、その両端部１９ｃ・１９ｃを、締結金具５９を用いてエンドレスのループ状に連結して作製する。
【００２６】
締結金具５９は、図１３に示すように、ワイヤー締結管６０と締付ねじ６１とを備えてなる。ワイヤー締結管６０は、連動ワイヤー１９の端部が２つ重ねて挿通される口径サイズのパイプ穴６０ａと、パイプ穴６０ａに対し直交する向きに穿設してパイプ穴６０ａと連通した２つの雌ねじ穴６０ｂを設けて形成してなる。一方、締付ねじ６１は、ワイヤー締結管６０の雌ねじ穴６０ｂと対応する雄ねじ部６１ａを外周に螺刻している。そして、ねじ基端部６１ｂに、締付工具、例えばＬ棒状の六角レンチ６２の先端を嵌着させる断面多角形状、例えば断面六角形の嵌合穴６１ｃを設けてなる。そこで、連動ワイヤー１９をループ状に連結するとき、ワイヤー両端部１９ｃ・１９ｃ同志を、ワイヤー締結管６０のパイプ穴６０ａに重ねて挿通し、嵌合穴６１ｃに六角レンチ６２の先端を嵌着して締付ねじ６１を捩じ込み、そのねじ先端部で連動ワイヤー１９の両端部１９ｃ・１９ｃをワイヤー締結管６０内で圧着して締結する。
【００２７】
一方、吊り金具ユニットＤに備えた一対の第１取付金具２０・２０のうち、図９に示すように、戸先側（図中右側）の取付金具の高上げスペーサ４０には、ワイヤ掛止めプレート６５を取り付ける。他方、第２取付金具２１・２１のうち、戸先側（図中左側）の取付金具の高上げスペーサ４０には、ワイヤ掛止めケース７０を取り付ける。
【００２８】
ワイヤ掛止めプレート６５は、図１０に拡大して示すように、Ｌ板状に曲げ成形してなり、その立板部６５ａの片側寄りに、図中高さ方向上向きにスリット状の切欠き凹部６６を設けてなる。そして、切欠き凹部６６を、図中上向きにして高上げスペーサ４０から図中奥側へ張り出させた状態で、立板部６５ａを高上げスペーサ４０の戸尻側端面４０ｂにねじ止めしてなる（図１４参照）。
【００２９】
ワイヤ掛止めケース７０は、図１１および図１２に示すように、ケース本体７１とキャップ７２とからなる。ケース本体７１は、やや横長な金属プレートを用いて図中下側を開放させた略コ形状に曲げ成形し、その対向する立板部７１ａ・７１ｂに、それぞれ図中高さ方向下向きにスリット状の切欠き凹部７７・７７を設けてなる。また、片側の立板部７１ａには、高上げスペーサ４０に対し図中奥側へ延びる取付板部分７１ｃを突設してなる。なお、切欠き凹部７７・７７には、その高さ方向途中に、それぞれ互いに対向させて円弧形に小さく切り欠いた嵌付凹部７７ａが設けられている。そして、ケース本体７１は、切欠き凹部７７・７７を、図中下向きにして高上げスペーサ４０から図中手前に張り出させて状態で、取付板部分７１ｃを高上げスペーサ４０の戸尻側端面４０ｃにねじ止めしてなる（図１５参照）。
【００３０】
一方、キャップ７２は、図１１および図１２に示すように、ケース本体７１に合わせて矩形ブロック状に樹脂で一体成形し、図中左右側面から上向きに一対のワイヤー受け片７２ａ・７２ａを突設し、ワイヤー受け片７２ａ・７２ａの上縁にガイド凹部７５・７５を設けてなる。また、左右側面には、それぞれ上記嵌付凹部７７ａと対応させて、嵌付凸部７２ｂ・７２ｂを突設し、片側の側面に、下面から図中片側へ水平に延びる取付板片７２ｃを突設している。そして、斯かるキャップ７２は、後述するが、連動ワイヤー１９を滑車３０・３０間に巻装するとき、ケース本体７１に対し嵌め込んで使用する。そのときは、高上げスペーサ４０に固着したケース本体７１に対し、下方から、ガイド凹部７５・７５を図中上向きにしてキャップ７２を押し込み、嵌付凸部７２ｂ・７２ｂを嵌付凹部７７ａに嵌着し、取付板片７２ｃを高上げスペーサ４０の図中下面にねじ止めしてワイヤ掛止めケース７０を組み立てる。すると、ワイヤ掛止めケース７０内に、ケース本体７１とキャップ７２とで締結金具５９を挟み込んで拘束する、パイプ保持部８０が形成される構成になっている。
【００３１】
そこで、以上のワイヤー取付構造を備えた連動引分け式吊戸装置において、吊り金具ユニットＤの組付け時、連動ワイヤー１９を滑車３０・３０間に巻装するときは、締結金具５９で予め互いの両端部１９ｃ・１９ｃを連結してループ状に繋いだ連動ワイヤー１９を、滑車３０・３０に掛け回す一方、図１０に示すように、ストッパ端子５５・５５間のワイヤー部分１９ｄを、第１取付金具２０におけるワイヤ掛止めプレート６５の切欠き凹部６６に差し込んで係合し、ストッパ端子５５・５５間で挟んで掛け止める。他方、図１１および図１２に示すように、予めキャップ７２を外して開放させたワイヤ掛止めケース７０の切欠き凹部７７・７７に、下方から、両側のワイヤー部分を係合させながら、締結金具５９をケース本体７１内に入れる。しかる後、ケース本体７１に対しキャップ７２を押し込んで嵌付凸部７２ｂ・７２ｂを嵌付凹部７７ａに嵌着し、締結金具５９を、キャップ７２上に乗せた状態で、パイプ保持部８０内で可動不能に保持する。それと同時に、締結金具５９の両側でワイヤー部分が、ガイド凹部７５・７５に係合して受け止められる共に、締結金具５９を間に挟んだ状態で切欠き凹部７７・７７に掛け止められる。こうして、連動ワイヤー１９は、滑車３０・３０間の平行な直線ワイヤー部で第１および第２取付金具２０・２１の高上げスペーサ４０を挟んだ状態で、互いに絡み合うことなく、簡単に且つ確実に滑車３０・３０間に往復回動可能に巻装される。
【図面の簡単な説明】
【００３２】
【図１】本発明の一例である連動引分け式吊戸装置を、引戸の吊り込み状態で示す斜視図である。
【図２】連動引分け式吊戸装置の分解斜視図である。
【図３】連動引分け式吊戸装置の組立斜視図である。
【図４】連動引分け式吊戸装置を一端側から見て示す拡大端面図である。
【図５】連動引分け式吊戸装置の主要部を示す部分拡大正面図である。
【図６】連動引分け式吊戸装置の主要部を示す部分拡大平面図である。
【図７】連動引分け式吊戸装置を引戸の開状態において示す斜視図である。
【図８】他のワイヤー取付構造を備えた連動引分け式吊戸装置を、引戸吊り込み状態で示す外観斜視図である。
【図９】他例の連動引分け式吊戸装置の分解斜視図である。
【図１０】その連動引分け式吊戸装置の第１取付金具側を拡大して示す斜視図である。
【図１１】その連動引分け式吊戸装置の第２取付金具側を拡大して示す斜視図である。
【図１２】図１１とは別の角度から見て示す同じ部分拡大斜視図である。
【図１３】締結金具で連動ワイヤーを連結した状態を示す部分拡大斜視図である。
【図１４】図１０で示した他例の連動引分け式吊戸装置の組立斜視図である。
【図１５】図１１で示した他例の連動引分け式吊戸装置の組立斜視図である。
【図１６】従来の連動引分け式吊戸装置の正面図である。
【符号の説明】
【００３３】
Ａ・Ｂ      引戸
Ｃ          掛止め金具ユニット
Ｄ          吊り金具ユニット
Ｓ          戸枠開口部
ｒ１・ｒ２  スライドレール体
１０        上枠
１５        吊りボルト
１９        連動ワイヤー
２０        第１の取付金具
２１        第２の取付金具
２４        アウターレール
２５        インナーレール
２６        リテーナ
２７        ボール
３０        滑車
４０        高上げスペーサ
４５        切欠き穴
５５        ストッパ端子
６０        ワイヤー締結管
６６・７７  切欠き凹部
【図１】
2005307506.tif 000003
【図２】
2005307506.tif 000004
【図３】
2005307506.tif 000005
【図４】
2005307506.tif 000006
【図５】
2005307506.tif 000007
【図６】
2005307506.tif 000008
【図７】
2005307506.tif 000009
【図８】
2005307506.tif 000010
【図９】
2005307506.tif 000011
【図１０】
2005307506.tif 000012
【図１１】
2005307506.tif 000013
【図１２】
2005307506.tif 000014
【図１３】
2005307506.tif 000015
【図１４】
2005307506.tif 000016
【図１５】
2005307506.tif 000017
【図１６】
2005307506.tif 000018